(57)【特許請求の範囲】
【請求項１】
（ａ）低エネルギーガス入口（１１０）、ガススプリット（１１２）、低エネルギーガス一次マニホルド出口（１１４）並びに低エネルギーガス二次マニホルド出口（１１６）を備えた低エネルギーガス送給システム（１０２）と、（ｂ）高エネルギーガス入口（１１８）及び高エネルギーガス一次マニホルド出口（１２０）を備えた高エネルギーガス送給システム（１０４）と、（ｃ）一次マニホルドノズル出口（１２４）を備えた一次マニホルド（１０６）と、（ｄ）二次マニホルドノズル出口（１２８）を備えた二次マニホルド（１０８）とを含み、前記低エネルギーガス一次マニホルド出口（１１４）及び高エネルギーガス一次マニホルド出口（１２０）が、前記一次マニホルド（１０６）に結合され、前記低エネルギーガス二次マニホルド出口（１１６）が、前記二次マニホルド（１０８）に結合され、前記低エネルギーガス送給システム（１０２）が、前記ガススプリット（１１２）と前記低エネルギーガス一次マニホルド出口（１１４）との間に一次低エネルギーガス制御弁（１３０）をさらに含み、前記低エネルギーガス送給システム（１０２）が、前記ガススプリット（１１２）と前記低エネルギーガス二次マニホルド出口（１１６）との間に二次低エネルギーガス制御弁（１３４）をさらに含み、また前記高エネルギーガス送給システム（１０４）が、前記高エネルギーガス入口（１１８）と前記高エネルギーガス一次マニホルド出口（１２０）との間に高エネルギーガス制御弁（１３２）をさらに含む燃料送給システムの作動方法であって、
前記低エネルギーガス送給システム（１０２）と前記高エネルギーガス送給システム（１０４）との間の燃料流量分担を選択するステップと、
前記燃料分担に基づいて前記高エネルギーガス制御弁（１３２）のストロークを設定するステップと、
前記一次マニホルドノズル出口（１２４）における前記一次マニホルドノズル圧力比を測定するステップと、
前記一次マニホルドノズル圧力比を一次マニホルド仕様限界値と比較するステップと、
前記一次低エネルギーガス制御弁（１３０）のストロークを調整して前記一次マニホルドノズル出口（１２４）における前記圧力比を前記一次マニホルド仕様限界値の範囲内に維持するステップと、
前記一次低エネルギーガス制御弁（１３０）のストロークを調整して前記一次及び二次マニホルドノズル出口（１２４、１２８）におけるノズル圧力比を等しい状態に維持するステップと、
前記二次マニホルドノズル出口（１２８）における前記二次マニホルドノズル圧力比を測定するステップと、
前記二次マニホルドノズル圧力比を二次マニホルド仕様限界値と比較するステップと、
前記二次低エネルギーガス制御弁（１３４）のストロークを調整して前記二次マニホルドノズル出口（１２８）における前記圧力比を前記二次マニホルド仕様限界値の範囲内に維持するステップと
を含む作動方法。
【請求項２】
前記低エネルギーガス送給システム（１０２）が、前記低エネルギーガス入口（１１０）と前記ガススプリット（１１２）との間に低エネルギーガス停止速度比弁（１４０）をさらに含み、また前記高エネルギーガス送給システム（１０４）が、前記高エネルギーガス入口（１１８）と前記高エネルギーガス制御弁（１３２）との間に高エネルギーガス停止速度比弁（１４２）をさらに含み、該作動方法が、
前記低エネルギーガス停止速度比弁（１４０）と前記一次低エネルギーガス制御弁（１３０）との間で前記低エネルギーガスの圧力を測定するステップと、
前記低エネルギーガスの圧力を低エネルギーガス基準圧力限界値と比較するステップと、
前記低エネルギーガス停止速度比弁（１４０）のストロークを調整して前記低エネルギーガスの圧力を前記低エネルギーガス基準圧力限界値の範囲内に維持するステップと、
前記高エネルギーガス停止速度比弁（１４２）と前記高エネルギーガス制御弁（１３２）との間で前記高エネルギーガスの圧力を測定するステップと、
前記高エネルギーガスの圧力を高エネルギーガス基準圧力限界値と比較するステップと、
前記高エネルギーガス停止速度比弁（１４２）のストロークを調整して前記高エネルギーガスの圧力を前記高エネルギーガス基準圧力限界値の範囲内に維持するステップと
をさらに含む、請求項１記載の作動方法。
【請求項３】
（ａ）低エネルギーガス入口（１１０）、ガススプリット（１１２）、低エネルギーガス一次マニホルド出口（１１４）及び低エネルギーガス二次マニホルド出口（１１６）を備えた低エネルギーガス送給システム（１０２）と、（ｂ）高エネルギーガス入口（１１８）及び高エネルギーガス一次マニホルド出口（１２０）を備えた高エネルギーガス送給システム（１０４）と、（ｃ）一次マニホルドノズル出口（１２４）を備えた一次マニホルド（１０６）と、（ｄ）二次マニホルドノズル出口（１２８）を備えた二次マニホルド（１０８）と、（ｅ）圧縮機吐出圧力入口（１７８）及び圧縮機吐出圧力出口（１８０）を備えた圧縮機吐出圧力システム（１７６）とを含み、前記低エネルギーガス一次マニホルド出口（１１４）及び高エネルギーガス一次マニホルド出口（１２０）が、前記一次マニホルド（１０６）に結合され、前記低エネルギーガス二次マニホルド出口（１１６）及び圧縮機吐出圧力出口（１８０）が、前記二次マニホルド（１０８）に結合され、前記低エネルギーガス送給システム（１０２）が、前記ガススプリット（１１２）と前記低エネルギーガス一次マニホルド出口（１１４）との間に一次低エネルギーガス制御弁（１３０）をさらに含み、前記低エネルギーガス送給システム（１０２）が、前記ガススプリット（１１２）と前記低エネルギーガス二次マニホルド出口（１１６）との間に二次低エネルギーガス制御弁（１３４）をさらに含み、前記高エネルギーガス送給システム（１０４）が、前記高エネルギーガス入口（１１８）と前記高エネルギーガス一次マニホルド出口（１２０）との間に高エネルギーガス制御弁（１３２）をさらに含み、また前記圧縮機吐出圧力システム（１７６）が、前記圧縮機吐出圧力入口（１７８）と前記圧縮機吐出圧力出口（１８０）との間に圧縮機吐出圧力弁（１８２）をさらに含む燃料送給システムの作動方法であって、
前記一次低エネルギーガス制御弁（１３０）を閉鎖するステップと、
前記一次マニホルドノズル出口（１２４）における前記一次マニホルドノズル圧力比を測定するステップと、
前記一次マニホルドノズル圧力比を一次マニホルド仕様限界値と比較するステップと、
前記高エネルギーガス制御弁（１３２）のストロークを調整して前記一次マニホルドノズル出口（１２４）における前記圧力比を前記一次マニホルド仕様限界値の範囲内に維持するステップと、
前記二次低エネルギーガス制御弁（１３４）を閉鎖するステップと、
前記二次マニホルドノズル出口（１２８）における前記二次マニホルドノズル圧力比を測定するステップと、
前記二次マニホルドノズル圧力比を二次マニホルド仕様限界値と比較するステップと、
前記圧縮機吐出圧力弁（１８２）のストロークを調整して前記二次マニホルドノズル出口（１２８）における前記圧力比を前記二次マニホルド仕様限界値の範囲内に維持するステップと
を含む作動方法。
【請求項４】
前記低エネルギーガス送給システム（１０２）が、前記低エネルギーガス入口（１１０）と前記ガススプリット（１１２）との間に低エネルギーガス停止速度比弁（１４０）をさらに含み、また前記高エネルギーガス送給システム（１０４）が、前記高エネルギーガス入口（１１８）と前記高エネルギーガス制御弁（１３２）との間に高エネルギーガス停止速度比弁（１４２）をさらに含み、該作動方法が、
前記低エネルギーガス停止速度比弁（１４０）を閉鎖するステップと、
前記高エネルギーガス停止速度比弁（１４２）と前記高エネルギーガス制御弁（１３２）との間で前記高エネルギーガスの圧力を測定するステップと、
前記高エネルギーガスの圧力を高エネルギーガス基準圧力限界値と比較するステップと、
前記高エネルギーガス停止速度比弁（１４２）のストロークを調整して前記高エネルギーガスの圧力を前記高エネルギーガス基準圧力限界値の範囲内に維持するステップと
をさらに含む、請求項３記載の作動方法。
【請求項５】
（ａ）低エネルギーガス入口（１１０）、ガススプリット（１１２）、低エネルギーガス一次マニホルド出口（１１４）及び低エネルギーガス二次マニホルド出口（１１６）を備えた低エネルギーガス送給システム（１０２）と、（ｂ）高エネルギーガス入口（１１８）及び高エネルギーガス一次マニホルド出口（１２０）を備えた高エネルギーガス送給システム（１０４）と、（ｃ）一次マニホルドノズル出口（１２４）を備えた一次マニホルド（１０６）と、（ｄ）二次マニホルドノズル出口（１２８）を備えた二次マニホルド（１０８）とを含み、前記低エネルギーガス一次マニホルド出口（１１４）及び高エネルギーガス一次マニホルド出口（１２０）が、前記一次マニホルド（１０６）に結合され、前記低エネルギーガス二次マニホルド出口（１１６）が、前記二次マニホルド（１０８）に結合され、前記低エネルギーガス送給システム（１０２）が、前記ガススプリット（１１２）と前記低エネルギーガス一次マニホルド出口（１１４）との間に一次低エネルギーガス制御弁（１３０）をさらに含み、前記低エネルギーガス送給システム（１０２）が、前記ガススプリット（１１２）と前記低エネルギーガス二次マニホルド出口（１１６）との間に二次低エネルギーガス制御弁（１３４）をさらに含み、また前記高エネルギーガス送給システム（１０４）が、前記高エネルギーガス入口（１１８）と前記高エネルギーガス一次マニホルド出口（１２０）との間に高エネルギーガス制御弁（１３２）をさらに含む燃料送給システムの作動方法であって、
前記高エネルギーガス制御弁（１３２）を閉鎖するステップと、
前記一次マニホルドノズル出口（１２４）における前記一次マニホルドノズル圧力比を測定するステップと、
前記一次マニホルドノズル圧力比を一次マニホルド仕様限界値と比較するステップと、
前記一次低エネルギーガス制御弁（１３０）のストロークを調整して前記一次マニホルドノズル出口（１２４）における前記圧力比を前記一次マニホルド仕様限界値の範囲内に維持するステップと、
前記一次低エネルギーガス制御弁（１３０）のストロークを調整して前記一次及び二次マニホルドノズル出口（１２４、１２８）におけるノズル圧力比を等しい状態に維持するステップと、
前記二次マニホルドノズル出口（１２８）における前記二次マニホルドノズル圧力比を測定するステップと、
前記二次マニホルドノズル圧力比を二次マニホルド仕様限界値と比較するステップと、
前記二次低エネルギーガス制御弁（１３４）のストロークを調整して前記二次マニホルドノズル出口（１２８）における前記圧力比を前記二次マニホルド仕様限界値の範囲内に維持するステップと
を含む作動方法。
【請求項６】
前記低エネルギーガス送給システム（１０２）が、前記低エネルギーガス入口（１１０）と前記ガススプリット（１１２）との間に低エネルギーガス停止速度比弁（１４０）をさらに含み、また前記高エネルギーガス送給システム（１０４）が、前記高エネルギーガス入口（１１８）と前記高エネルギーガス制御弁（１３２）との間に高エネルギーガス停止速度比弁（１４２）をさらに含み、該作動方法が、
前記高エネルギーガス停止速度比弁（１４２）を閉鎖するステップと、
前記低エネルギーガス停止速度比弁（１４０）と前記一次低エネルギーガス制御弁（１３０）との間又は前記低エネルギーガス停止速度比弁（１４０）と前記二次低エネルギーガス制御弁（１３４）との間のいずれかで前記低エネルギーガスの圧力を測定するステップと、
前記低エネルギーガスの圧力を低エネルギーガス基準圧力限界値と比較するステップと、
前記低エネルギーガス停止速度比弁（１４０）のストロークを調整して前記低エネルギーガスの圧力を前記低エネルギーガス基準圧力限界値の範囲内に維持するステップと
をさらに含む、請求項５記載の作動方法。
【発明の詳細な説明】
【技術分野】
【０００１】
本出願は、ガスタービン燃料システムに関し、より具体的には、２種以上の気体（ガス）燃料を単一マニホルドに送給することができるガスタービン燃料システムの作動方法に関する。
【背景技術】
【０００２】
最新ガスタービンは、燃料システムの精密制御を必要とする。例えば、燃料ノズルにおける圧力低下は、燃焼器損傷を回避するために規定の範囲内に慎重に維持しなければならない。一般に、最新ガスタービンを通常の高エネルギー燃料（例えば、天然ガス）及び高水素の低エネルギー燃料（例えば、合成ガス）で作動させることは困難である可能性がある。従って、望ましいものは、高エネルギー燃料、低エネルギー燃料、及び高エネルギー燃料と低エネルギー燃料の混合物に適しているとともにそれらを慎重に制御することのできる「二元ガス」タービン燃料システムである。
【０００３】
そのような「二元ガス」燃料システムの設計は、燃料の特性が異なるため複雑なものとなりかねない。ガスタービンを低エネルギー燃料で作動させるには、ガスタービンを高エネルギー燃料で作動させるのよりも格段に大きな体積流量が要とされる。さらに、低エネルギー燃料（通例ガス化プロセスから得られる）は、高温で供給されることが多々ある。こうした特性のため、燃料温度及び体積流量の大きな変動に適応し、それら変動を制御することのできる燃料システムハードウェアが必要とされる。不都合なことに、そのようなハードウェアは大型で複雑かつ高価なものとなりかねない。
【先行技術文献】
【特許文献】
【０００４】
【特許文献１】米国特許第４９４９５３８号明細書
【発明の概要】
【発明が解決しようとする課題】
【０００５】
そこで、ハードウェアコスト、維持コスト及び据付面積を節約するため節約するため、小型で標準的かつ簡単なハードウェアを用いた「二元ガス」タービンシステムが必要とされている。
【課題を解決するための手段】
【０００６】
従って、本出願は、二元ガス燃料送給システムの作動方法を提供する。二元ガス燃料送給システムは、（ａ）低エネルギーガス入口、燃料流れスプリット、低エネルギーガス一次マニホルド出口及び低エネルギーガス二次マニホルド出口を備えた低エネルギーガス送給システムと、（ｂ）高エネルギーガス入口及び高エネルギーガス一次マニホルド出口を備えた高エネルギーガス送給システムと、（ｃ）一次マニホルドノズル出口を備えた一次マニホルドと、（ｄ）二次マニホルドノズル出口を備えた二次マニホルドとを含み、低エネルギーガス一次マニホルド出口及び高エネルギーガス一次マニホルド出口は、一次マニホルドに結合され、低エネルギーガス二次マニホルド出口は、二次マニホルドに結合され、低エネルギーガス送給システムはさらに、ガススプリットと低エネルギーガス一次マニホルド出口との間に一次低エネルギーガス制御弁を含み、該低エネルギーガス送給システムはさらに、マニホルドスプリットと低エネルギーガス二次マニホルド出口との間に二次低エネルギーガス制御弁を含み、また高エネルギーガス送給システムはさらに、高エネルギーガス入口と高エネルギーガス一次マニホルド出口との間に高エネルギーガス制御弁を含むことができる。二元ガス燃料送給システムを作動させる本方法は、低エネルギーガス送給システムと高エネルギーガス送給システムとの間の燃料分担を選択するステップと、燃料分担に基づいて高エネルギーガス制御弁のストロークを設定するステップと、一次マニホルドノズル出口における一次マニホルドノズル圧力比を測定するステップと、一次マニホルドノズル圧力比を一次マニホルド仕様限界値と比較するステップと、一次低エネルギーガス制御弁のストロークを調整して一次マニホルドノズル出口における圧力比を一次マニホルド仕様限界値の範囲内に維持するステップと、二次マニホルドノズル出口における二次マニホルドノズル圧力比を測定するステップと、二次マニホルドノズル圧力比を二次マニホルド仕様限界値と比較するステップと、二次低エネルギーガス制御弁のストロークを調整して二次マニホルドノズル出口における圧力比を二次マニホルド仕様限界値の範囲内に維持するステップとを含むことができる。
【０００７】
本出願のこれらの及びその他の特徴は、図面及び特許請求の範囲と関連させて以下の詳細な説明を精査することにより当業者には明らかになるであろう。
【図面の簡単な説明】
【０００８】
【図１】一次マニホルド二元ガス燃料システムを示す流れ図。
【発明を実施するための形態】
【０００９】
本出願は、二元ガス燃料送給システム及び該システムの作動方法を提供する。
【００１０】
Ｉ．一次マニホルド二元ガス燃料送給システム
次に図面を参照すると、図１は、一次マニホルド二元ガス燃料システム１００の構成を示している。本システム１００は、高エネルギーガス、低エネルギーガス、又は高エネルギーガスと低エネルギーガスとの混合物をタービンに送給するのに使用することができる。重要なことには、本システム１００は、高エネルギー燃料及び低エネルギー燃料の両方を送給すると同時に、高エネルギー燃料のみを単一マニホルドに流入させるのを可能にすることができる。高エネルギー燃料のみを単一マニホルドに対して送給することによって、本システム１００は、マニホルド内に蓄積するエネルギー量を減少させ、それによってタービン過剰速度の危険性を低減することができる。
【００１１】
ガス燃料（気体燃料）
本システム１００は、高エネルギーガス、低エネルギーガス、又は高エネルギーガスと低エネルギーガスとの混合物を送給することができる。高エネルギーガスは、約７５０〜約２０００ＢＴＵ／ｆｔ３、より好ましくは約９００〜約１５００ＢＴＵ／ｆｔ３、またさらにより好ましくは約１０００〜約１２００ＢＴＵ／ｆｔ３の範囲のエネルギー値を有することができる。低エネルギーガスは、約７５〜約７５０ＢＴＵ／ｆｔ３、より好ましくは約１５０〜５００ＢＴＵ／ｆｔ３、またさらにより好ましくは、約２５０〜約３５０ＢＴＵ／ｆｔ３の範囲のエネルギー値を有することができる。具体的な実施形態では、高エネルギーガスと低エネルギーガスとの間のエネルギー値の差異は、約１００〜約１８００ＢＴＵ／ｆｔ３、より好ましくは約３００〜１２００ＢＴＵ／ｆｔ３、またさらにより好ましくは、約６００〜約８００ＢＴＵ／ｆｔ３の範囲内にある。
【００１２】
送給システム
一次マニホルド二元ガス燃料送給システム１００は、低エネルギーガス送給システム１０２と、高エネルギーガス送給システム１０４と、一次マニホルド１０６と、二次マニホルド１０８とを含むことができる。二次マニホルド１０８は、一次マニホルド１０６の寸法よりも大きい寸法を有することができる。例えば、二次マニホルド１０８は、一次マニホルド１０６に比較してより大きなボリューム及び／又はノズル寸法を有することができる。二次マニホルド１０８の比較的大きい寸法及び一次マニホルド１０６の比較的小さい寸法により、低エネルギーガス、高エネルギーガス、又は高エネルギーガスと低エネルギーガスとの混合物のいずれかを使用してタービンを広範囲の負荷で作動させるのを可能にすることができる。
【００１３】
低エネルギーガス送給システム１０２は、低エネルギーガス入口１１０、ガススプリット１１２、低エネルギーガス一次マニホルド出口１１４及び低エネルギーガス二次マニホルド出口１１６を備えることができる。高エネルギーガス送給システム１０４は、高エネルギーガス入口１１８及び高エネルギーガス一次マニホルド出口１２０を備えることができる。一次マニホルド１０６は、一次マニホルド配管入口１２２及び一次マニホルドノズル出口１２４を備えることができる。二次マニホルド１０８は、二次マニホルド配管入口１２６及び二次マニホルドノズル出口１２８を備えることができる。低エネルギーガス一次マニホルド出口１１４及び高エネルギーガス一次マニホルド出口１２０は、一次マニホルド１０６に結合することができる。例えば、低エネルギーガス一次マニホルド出口１１４及び高エネルギーガス一次マニホルド出口１２０は、一次マニホルド配管入口１２２に合流させることができる。低エネルギーガス二次マニホルド出口１１６は、二次マニホルド１０８に結合することができる。例えば、低エネルギーガス二次マニホルド出口１１６は、二次マニホルド配管入口１２６に合流させることができる。
【００１４】
低エネルギーガス送給システム１０２はまた、ガススプリット１１２と低エネルギーガス一次マニホルド出口１１４との間に一次低エネルギーガス制御弁１３０を含むことができる。同様に、高エネルギーガス送給システム１０４も、高エネルギーガス入口１１８と高エネルギーガス一次マニホルド出口１２０との間に高エネルギーガス制御弁１３２を含むことができる。ガス制御弁１３０及び１３２は、一次マニホルドノズル出口１２４において正確な圧力低下が維持されるように、一次マニホルド１０６への燃料の流れを制御することができる。
【００１５】
低エネルギーガス送給システム１０２はまた、二次低エネルギーガス制御弁１３４を含むことができる。二次低エネルギーガス制御弁１３４は、ガススプリット１１２と低エネルギーガス二次マニホルド出口１１６との間に設置することができる。二次低エネルギーガス制御弁１３４は、二次マニホルドノズル出口１２８において正確な圧力低下が維持されるように、二次マニホルド１０８内の燃料の流れを制御することができる。二次低エネルギーガス制御弁１３４はまた、二次マニホルド１０８を通るガスの流れを停止させるように使用することができる。
【００１６】
低エネルギーガス送給システム１０２はまた、あらゆる数の付加的ガス制御弁を含むことができる。例えば、低エネルギーガス送給システム１０２はまた、第２の二次低エネルギーガス制御弁１３６及び第３の二次低エネルギーガス制御弁１３８を含むことができる。制御弁１３６及び１３８は、ガススプリット１１２と低エネルギーガス二次マニホルド出口１１６との間に設置することができる。３つの制御弁１３４、１３６及び１３８は、並列に作動させることができる。複数ガス制御弁を使用することにより、各制御弁をより小さい寸法のものとするのを可能にすることができ、そのことは次に、容易に入手可能なガス制御弁の使用を可能にすることができる。
【００１７】
低エネルギーガス送給システム１０２はまた、低エネルギーガス入口１１０とガススプリット１１２との間に低エネルギーガス停止速度比弁１４０を含むことができる。同様に、高エネルギーガス送給システム１０４も、高エネルギーガス入口１１８と高エネルギーガス制御弁１３２との間に高エネルギーガス停止速度比弁１４２を含むことができる。停止速度比弁１４０及び１４２は、該停止速度比弁１４０及び１４２とガス制御弁１３０、１３２、１３４及び１３８との間に一定の基準圧力が維持されるように、該ガス制御弁１３０、１３２、１３４及び１３８の上流の燃料の流れを制御することができる。ガス制御弁１３０、１３２、１３４、１３６及び１３８の直ぐ上流に一定の基準圧力の領域を維持することによって、制御弁の位置（有効面積）のみを使用して、ガス制御弁を通る流量を計算することができる。
【００１８】
低エネルギーガス送給システム１０２はまた、低エネルギーガス入口１１０と低エネルギーガス停止速度比弁１４０との間に低エネルギーガス停止弁１４６を含むことができる。同様に、高エネルギーガス送給システム１０４も、高エネルギーガス入口１１８と高エネルギーガス停止速度比弁１４２との間に高エネルギーガス停止弁１４８を含むことができる。停止弁１４６及び１４８は、それぞれ低エネルギーガス送給システム１０２及び高エネルギーガス送給システム１０４を通るガスの流れを停止させるように使用することができる。例えば、タービンが高エネルギーガスのみで作動している場合には、低エネルギーガス停止弁１４６により、低エネルギーガス送給システム１０２を通るガスの流れを停止させて、一次マニホルド１０６を通して高エネルギー燃料のみが流れることになるようにすることができる。さらに、タービンが低エネルギーガスのみで作動している場合には、高エネルギーガス制御弁１４８により、高エネルギーガス送給システム１０４を通るガスの流れを停止させて、一次マニホルド１０６及び二次マニホルド１０８を通して低エネルギー燃料のみが流れることになるようにすることができる。
【００１９】
低エネルギーガス送給システム１０２はまた、低エネルギーガス入口１１０と一次低エネルギーガス制御弁１３０との間に一次低エネルギーガスパージシステムを含むことができる。一次低エネルギーガスパージシステムは、一次低エネルギーガスパージ入口１５０、第１の一次低エネルギーガスパージ排出口１５２及び第２の一次低エネルギーガスパージ排出口１５４を含むことができる。一次低エネルギーガスパージ入口１５０は、一次低エネルギーガス制御弁１３０と低エネルギーガス停止速度比弁１４０との間に設置することができ、第１の一次低エネルギーガスパージ排出口１５２は、一次低エネルギーガス制御弁１３０と低エネルギーガス停止速度比弁１４０との間に設置することができ、また第２の一次低エネルギーガスパージ排出口１５４は、低エネルギーガス停止速度比弁１４０と低エネルギーガス停止弁１４６との間に設置することができる。一次低エネルギーガスパージシステムは、低エネルギーガス送給システム１０２を使用していない時における燃焼の危険性を低減するように使用することができる。例えば、一次低エネルギーガスパージ入口１５０並びに一次低エネルギーガスパージ排出口１５２及び１５４は、低エネルギーガス停止弁１４６と一次低エネルギーガス制御弁１３０との間に不活性ガス圧力バッファを形成して低エネルギーガスを一次マニホルド１０６から分離させることができる。
【００２０】
高エネルギーガス送給システム１０４も、高エネルギーガス入口１１８と高エネルギーガス出口１２０との間に高エネルギーガスパージシステムを含むことができる。高エネルギーガスパージシステムは、高エネルギーガスパージ入口１５６、第１の高エネルギーガスパージ排出口１５８及び第２の高エネルギーパージ排出口１６０を含むことができる。高エネルギーガスパージ入口１５６は、高エネルギーガス制御弁１３２と高エネルギー停止速度比弁１４２との間に設置することができ、第１の高エネルギーガスパージ排出口１５８は、高エネルギーガス制御弁１３２と高エネルギーガス停止速度比弁１４２との間に設置することができ、また第２の高エネルギーガスパージ排出口１６０は、高エネルギーガス停止速度比弁１４２と高エネルギーガス停止弁１４８との間に設置することができる。高エネルギーガスパージシステムは、高エネルギーガス送給システム１０４を使用していない時における燃焼の危険性を低減するように使用することができる。例えば、高エネルギーガスパージ入口１５６並びに高エネルギーガスパージ排出口１５８及び１６０により、高エネルギー又は低エネルギーガスをパージするように高エネルギーガス停止弁１４８の下流の配管を一掃して燃焼の危険性を低減することができる。
【００２１】
低エネルギーガス送給システム１０２はまた、二次低エネルギーガス制御弁１３４と低エネルギーガス二次マニホルド出口１１６との間に二次低エネルギーガスパージシステムを含むことができる。二次低エネルギーガスパージシステムは、二次低エネルギーガスパージ入口１６４を含むことができる。二次低エネルギーガスパージ入口１６４は、二次低エネルギーガス制御弁１３４と二次マニホルドノズル出口１２８との間に設置することができる。二次マニホルドパージシステムは、二次マニホルド１０８を使用していない時における燃焼の危険性を低減するように使用することができる。
【００２２】
低エネルギーガス送給システム１０２はまた、低エネルギーガス入口１１０と低エネルギーガス停止弁１４６との間に低エネルギーガスストレーナ１６８を含むことができる。同様に、高エネルギーガス送給システム１０４も、高エネルギーガス入口１１８と高エネルギーガス停止弁１４８との間に高エネルギーガスストレーナ１７０を含むことができる。ストレーナ１６８及び１７０は、燃料からデブリを濾過して一次マニホルド二元ガス燃料送給システム１００における閉塞のような問題を防止することができる。
【００２３】
低エネルギーガス送給システム１０２はまた、低エネルギーガス入口１１０と低エネルギーガス停止弁１４６との間に低エネルギーガスバイパス出口１７２を含むことができる。同様に、高エネルギーガス送給システム１０４も、高エネルギーガス入口１１８と高エネルギーガス停止弁１４８との間に高エネルギーガスバイパス出口１７４を含むことができる。バイパス出口１７２及び１７４は、暖機システム及び／又はフレアシステムのようなシステムに対してガスを供給することができる。
【００２４】
一次マニホルド二元ガス燃料送給システム１００はまた、圧縮機吐出圧力システム（「ＣＰＤシステム」）１７６を含むことができる。ＣＰＤシステム１７６は、ＣＰＤ空気入口１７８及びＣＰＤ空気出口１８０を含むことができる。ＣＰＤシステム１７６は、二次マニホルド１０８に結合することができる。例えば、ＣＰＤ空気出口１８０は、二次マニホルド配管入口１２６に合流させることができる。ＣＰＤシステム１７６は、ガスの二次マニホルド１０８をパージし、二次マニホルド１０８内に正のノズル圧力比を維持しかつ／又は二次マニホルドノズル出口１２８を低温に保つように使用することができる。
【００２５】
ＣＰＤシステム１７６は、ＣＰＤ空気入口１７８とＣＰＤ空気出口１８０との間に一次ＣＰＤ弁１８２を含むことができる。ＣＰＤシステム１７６はまた、ＣＰＤ空気入口１７８と一次ＣＰＤ弁１８２との間に二次ＣＰＤ弁１８４を含むことができる。ＣＰＤ弁１８２及び１８４は、二次マニホルドノズル出口１２８にわたって正確な圧力低下が維持されるように、二次マニホルド１０８への空気の流れを制御することができる。
【００２６】
ＣＰＤシステム１７６はまた、ＣＰＤガスパージ入口１８６及びＣＰＤガスパージ排出口１８８を含むことができる。ＣＰＤガスパージ入口１８６及びＣＰＤガスパージ排出口１８８は、二次ＣＰＤ弁１８４と一次ＣＰＤ弁１８２との間に設置することができる。ＣＰＤガスパージ入口１８６及びＣＰＤガスパージ排出口１８８は、ＣＰＤシステム１７６を使用していない時における燃焼の危険性を低減するように使用することができる。例えば、ＣＰＤガスパージ入口１８６及びＣＰＤガスパージ排出口１８８は、二次ＣＰＤ弁１８４と一次ＣＰＤ弁１８２との間に不活性ガス圧力バッファを形成して低エネルギーガスをＣＰＤ空気から分離させることができる。
【００２７】
一次マニホルド二元ガス燃料送給システム１００は、２つのガス（気体）燃料をタービンに送給するように使用することができる。低エネルギーガスは、低エネルギーガス送給システム１０２の低ガスエネルギー入口１１０に供給することができる。低エネルギーガスの第１の部分は次に、低エネルギーガス送給システム１０２の低エネルギーガス一次マニホルド出口１１４から一次マニホルド１０６の一次マニホルド配管入口１２２に供給することができ、また低エネルギーガスの第２の部分は、低エネルギーガス送給システム１０２の低エネルギーガス二次マニホルド出口１１６から二次マニホルド１０８の二次マニホルド配管入口１２６に供給することができる。高エネルギーガスは、高エネルギーガス送給システム１０４の高エネルギーガス入口１１８に供給することができる。高エネルギーガスは次に、高エネルギーガス送給システム１０４の高エネルギーガス一次マニホルド出口１２０から一次マニホルド１０６の一次マニホルド配管入口１２２に供給することができる。
【００２８】
高エネルギーガス及び低エネルギーガスの第１の部分は、一次マニホルド１０６の一次マニホルドノズル出口１２４からタービンに供給することができる。低エネルギーガスの第２の部分は、二次マニホルド１０８の二次マニホルド配管出口１２８からタービンに供給することができる。
【００２９】
２つの気体燃料をタービンに送給する本方法は、低エネルギーガスを低エネルギーガス送給システム１０２に供給するステップの後であってかつ該低エネルギーガスの第１の部分を一次マニホルド１０６に供給するステップの前に、該低エネルギーガスの第１の部分を一次低エネルギーガス制御弁１３０を通して流すステップを含むことができる。本方法はまた、低エネルギーガスを低エネルギーガス送給システム１０２に供給するステップの後であってかつ該低エネルギーガスの第２の部分を二次マニホルド１０８に供給するステップの前に、該低エネルギーガスの第２の部分を二次低エネルギーガス制御弁１３４、１３６及び１３８を通して流すステップを含むことができる。さらに、本方法は、低エネルギーガスを低エネルギーガス送給システム１０２に供給するステップの後であってかつ該低エネルギーガスの第１の部分を一次低エネルギーガス制御弁１３０を通して流すステップと該低エネルギーガスの第２の部分を第２の低エネルギーガス制御弁１３４、１３６及び１３８を通して流すステップとの前に、該低エネルギーガスを低エネルギーガス停止速度比弁１４０を通して流すステップを含むことができる。最後に、２つの気体燃料をタービンに送給する本方法は、低エネルギーガスを低エネルギーガス送給システム１０２に供給するステップの後であってかつ該低エネルギーガスを低エネルギーガス停止速度比弁１４０を通して流すステップの前に、該低エネルギーガスを低エネルギーガス停止弁１４６を通して流すステップを含むことができる。
【００３０】
２つの気体燃料をタービンに送給する本方法は、高エネルギーガスを高エネルギーガス送給システム１０４に供給するステップの後であってかつ該高エネルギーガスを一次マニホルド１０６に供給するステップの前に、該高エネルギーガスを高エネルギーガス制御弁１３２を通して流すステップを含むことができる。本方法はまた、高エネルギーガスを高エネルギーガス送給システム１０４に供給するステップの後であってかつ該高エネルギーガスを高エネルギーガス制御弁１３２を通して流すステップの前に、該高エネルギーガスを高エネルギーガス停止速度比弁１４２を通して流すステップを含むことができる。最後に、２つの気体燃料をタービンに送給する本方法は、高エネルギーガスを高エネルギーガス送給システム１０４に供給するステップの後であってかつ該高エネルギーガスを高エネルギーガス停止速度比弁１４２を通して流すステップの前に、該高エネルギーガスを高エネルギーガス停止弁１４８を通して流すステップを含むことができる。
【００３１】
ＩＩ．燃料システム作動
上記の一次マニホルド燃料送給システム１００は、３つの異なるモード、すなわち（１）１００％高エネルギーガスモード、（２）１００％低エネルギーガスモード、及び（３）併用燃焼モードで作動することができる。
【００３２】
燃料送給システムの作動時に、ガス制御弁のストロークは、マニホルドノズル出口における圧力比をマニホルド仕様限界値の範囲内に維持するように、閉ループ制御に基づいて調整することができる。燃料が２つのマニホルドを通って流れている場合には、ガス制御弁のストロークは、マニホルドノズル出口における圧力比を等しい状態に維持するように調整することができる。
【００３３】
ガス制御弁のストロークはまた、ノズルを通る流れの物理学を使用して開ループ制御に基づいて調整することができる。例えば、燃料ストローク基準（ＦＳＲ）は、一次マニホルドＦＳＲ（ＦＳＲＰ）及び二次マニホルドＦＳＲ（ＦＳＲＳ）の合計として計算することができる。ＦＳＲＰ及びＦＳＲＳは、それぞれ一次ノズル通路の面積及び二次ノズル通路の面積に正比例させることができる。
【００３４】
マニホルドにおける圧力比が仕様限界値の範囲外であることが判明した場合には、燃焼停止を開始させて、燃料システム及びタービンを保護することができる。
【００３５】
高エネルギーガスモード
一次マニホルド燃料送給システム１００を１００％高エネルギーガスモードで作動させる本方法は、低エネルギーガス制御弁１３０、１３４、１３６及び１３８を閉鎖するステップと、一次マニホルドノズル出口１２４における一次マニホルドノズル圧力比を測定するステップと、一次マニホルドノズル圧力比を一次マニホルド仕様限界値と比較するステップと、高エネルギーガス制御弁１３２のストロークを調整して一次マニホルドノズル出口１２４における圧力比を一次マニホルド仕様限界値の範囲内に維持するステップとを含むことができる。例えば、ノズル圧力比が仕様限界値以下である場合には、高エネルギーガス制御弁１３２は、より多くのガスを一次マニホルド１０６を通して流すようにより高い（大きい）ストロークに調整することができる。さらに、ノズル圧力比が仕様限界値以上である場合には、高エネルギーガス制御弁１３２は、より少ないガスを一次マニホルド１０６を通して流すようにより低い（小さい）ストロークに調整することができる。
【００３６】
一次マニホルド燃料送給システム１００を１００％高エネルギーガスモードで作動させる本方法はまた、二次マニホルドノズル出口１２８における二次マニホルドノズル圧力比を測定するステップと、二次マニホルドノズル圧力比を二次マニホルド仕様限界値と比較するステップと、ＣＰＤ弁１８２及び／又は１８４のストロークを調整して二次マニホルドノズル出口１２８における圧力比を二次マニホルド仕様限界値の範囲内に維持するステップとを含むことができる。例えば、ノズル圧力比が仕様限界値以下である場合には、ＣＰＤ弁１８２及び／又は１８４は、より多くの空気を二次マニホルド１０８を通して流すようにより高いストロークに調整することができる。同様に、ノズル圧力比が仕様限界以上である場合には、ＣＰＤ弁１８２及び／又は１８４は、より少ない空気を二次マニホルド１０８を通して流すようにより低いストロークに調整することができる。
【００３７】
一次マニホルド燃料送給システム１００を１００％高エネルギーガスモードで作動させる本方法はまた、低エネルギーガス停止速度比弁１４０を閉鎖するステップと、高エネルギーガス停止速度比弁１４２と高エネルギーガス制御弁１３２との間で高エネルギーガスの圧力を測定するステップと、高エネルギーガスの圧力を高エネルギーガス基準圧力限界値と比較するステップと、高エネルギーガス停止速度比弁１４２のストロークを調整して高エネルギーガスの圧力を高エネルギーガス基準圧力限界値の範囲内に維持するステップとを含むことができる。例えば、高エネルギーガスの圧力が高エネルギーガス基準圧力限界値以下である場合には、高エネルギーガス停止速度比弁１４２は、より多くの高エネルギーガスを該高エネルギーガス停止速度比弁１４２を通して流すようにより高いストロークに調整することができる。同様に、高エネルギーガスの圧力が高エネルギーガス基準圧力限界値以上である場合には、高エネルギーガス停止速度比弁１４２は、より少ない高エネルギーガスを該高エネルギーガス停止速度比弁１４２を通して流すようにより低いストロークに調整することができる。
【００３８】
一次マニホルド燃料送給システム１００を１００％高エネルギーガスモードで作動させる本方法はまた、低エネルギーガス停止速度比弁１４０及び低エネルギーガス停止弁１４６を閉鎖するステップを含むことができる。燃料システムを作動させる本方法はまた、第２の低エネルギーガスパージ排出口１５４を使用して低エネルギーガス停止速度比弁１４６と低エネルギーガス停止弁１４０との間から低エネルギーガスを除去するステップを含むことができる。燃料システムを作動させる本方法はまた、低エネルギーガスパージ入口１５０及び第１の低エネルギーガスパージ排出口１５２を使用して低エネルギーガス停止速度比弁１４０と低エネルギーガス制御弁１３０、１３４、１３６及び１３８との間に不活性ガス圧力バッファを形成するステップを含むことができる。
【００３９】
低エネルギーガスモード
一次マニホルド燃料送給システム１００を１００％低エネルギーガスモードで作動させる本方法は、高エネルギーガス制御弁１３２を閉鎖するステップと、一次マニホルドノズル出口１２４における一次マニホルドノズル圧力比を測定するステップと、一次マニホルドノズル圧力比を一次マニホルド仕様限界値と比較するステップと、一次低エネルギーガス制御弁１３０のストロークを調整して一次マニホルドノズル出口１２４における圧力比を一次マニホルド仕様限界値の範囲内に維持するステップとを含むことができる。例えば、ノズル圧力比が仕様限界値以下である場合には、一次低エネルギーガス制御弁１３０は、より多くのガスを一次マニホルド１０６を通して流すようにより高いストロークに調整することができる。さらに、ノズル圧力比が仕様限界値以上である場合には、一次低エネルギーガス制御弁１３０は、より少ないガスを一次マニホルド１０６を通して流すようにより低いストロークに調整することができる。ノズル圧力比が仕様限界値間である場合には、マニホルドスプリット制御弁１３０は、各マニホルドでのノズル圧力比を等しい状態に調整するように作動することになる。
【００４０】
一次マニホルド燃料送給システム１００を１００％低エネルギーガスモードで作動させる本方法はまた、ＣＰＤ弁１８２を閉鎖するステップと、二次マニホルドノズル出口１２８における二次マニホルドノズル圧力比を測定するステップと、二次マニホルドノズル圧力比を二次マニホルド仕様限界値と比較するステップと、二次低エネルギーガス制御弁１３４、１３６及び１３８のストロークを調整して二次マニホルドノズル出口１２８における圧力比を二次マニホルド仕様限界値の範囲内に維持するステップとを含むことができる。例えば、ノズル圧力比が仕様限界値以下である場合には、二次低エネルギーガス制御弁１３４、１３６及び１３８は、より多くのガスを二次マニホルド１０８を通して流すようにより高いストロークに調整することができる。さらに、ノズル圧力比が仕様限界値以上である場合には、二次低エネルギーガス制御弁１３４、１３６及び１３８は、より少ないガスを二次マニホルド１０８を通して流すようにより低いストロークに調整することができる。
【００４１】
一次マニホルド燃料送給システム１００を１００％低エネルギーガスモードで作動させる本方法はまた、高エネルギーガス停止速度比弁１４２を閉鎖するステップと、低エネルギーガス停止速度比弁１４０と一次低エネルギーガス制御弁１３０との間又は低エネルギーガス停止速度比弁１４０と二次低エネルギーガス制御弁１３４との間のいずれかで低エネルギーガスの圧力を測定するステップと、低エネルギーガスの圧力を低エネルギーガス基準圧力限界値と比較するステップと、低エネルギーガス停止速度比弁１４０のストロークを調整して低エネルギーガスの圧力を低エネルギーガス基準圧力限界値の範囲内に維持するステップとを含むことができる。例えば、低エネルギーガスの圧力が低エネルギーガス基準圧力限界値以下である場合には、低エネルギーガス停止速度比弁１４０は、より多くの低エネルギーガスを該低エネルギーガス停止速度比弁１４０を通して流すようにより高いストロークに調整することができる。同様に、低エネルギーガスの圧力が低エネルギーガス基準圧力限界値以上である場合には、低エネルギーガス停止速度比弁１４０は、より少ない低エネルギーガスを該低エネルギーガス停止速度比弁１４０を通して流すようにより低いストロークに調整することができる。
【００４２】
燃料送給システムを１００％低エネルギーガスモードで作動させる本方法はまた、高エネルギーガス停止速度比弁１４２及び高エネルギーガス停止弁１４６を閉鎖するステップを含むことができる。燃料システムを作動させる本方法はまた、第２の高エネルギーガスパージ排出口１６０を使用して高エネルギーガス停止速度比弁１４２と高エネルギーガス停止弁１４６との間から高エネルギーガスを除去するステップを含むことができる。燃料システムを作動させる本方法はまた、第１の高エネルギーガスパージ排出口１５８を使用して高エネルギーガス停止速度比弁１４２と高エネルギーガス制御弁１３２との間から高エネルギーガスを除去するステップを含むことができる。燃料システムを作動させる本方法はまた、高エネルギーパージ入口１５６を使用して不活性ガスで一次マニホルド１０６をパージするステップを含むことができる。燃料送給システム１００を作動させる本方法はまた、ＣＰＤガスパージ入口１８６及びＣＰＤガスパージ排出口１８８を使用してＣＰＤ弁１８４とＣＰＤ弁１８２との間からＣＰＤ空気を除去するステップを含むことができる。
【００４３】
併用燃焼モード
一次マニホルド燃料送給システム１００を併用燃焼モードで作動させる本方法は、高エネルギーガスと低エネルギーガスとの間の燃料流量分担（スプリット）を選択するステップと、所望の一次燃料流量分担に基づいて高エネルギーガス制御弁１３２のストロークを調整するステップと、一次マニホルドノズル出口１２４における一次マニホルドノズル圧力比を測定するステップと、一次マニホルドノズル圧力比を一次マニホルド仕様限界値及び目標値と比較するステップと、一次低エネルギーガス制御弁１３０のストロークを調整して一次マニホルドノズル出口１２４における圧力比を一次マニホルド仕様限界値の範囲内に維持するか又は目標値圧力比に適合させるステップとを含むことができる。例えば、ノズル圧力比が仕様限界値以下である場合には、一次低エネルギーガス制御弁１３０は、より多くのガスを一次マニホルド１０６を通して流すようにより高いストロークに調整することができる。さらに、ノズル圧力比が仕様限界値以上である場合には、一次低エネルギーガス制御弁１３０は、より少ないガスを一次マニホルド１０６を通して流すようにより低いストロークに調整することができる。測定一次ノズル圧力比が仕様限界値間である場合には、制御弁１３０は、一次及び二次マニホルド間でノズル圧力比を等しい状態に調整するように作動することになる。
【００４４】
一次マニホルド燃料送給システム１００を併用燃焼モードで作動させる本方法はまた、ＣＰＤ弁１８２を閉鎖するステップと、二次マニホルドノズル出口１２８における二次マニホルドノズル圧力比を測定するステップと、二次マニホルドノズル圧力比を二次マニホルド仕様限界値と比較するステップと、二次低エネルギーガス制御弁１３４、１３６及び１３８のストロークを調整して二次マニホルドノズル出口１２８における圧力比を二次マニホルド仕様限界値の範囲内に維持するステップとを含むことができる。例えば、ノズル圧力比が仕様限界値以下である場合には、二次低エネルギーガス制御弁１３４、１３６及び１３８は、より多くのガスを二次マニホルド１０８を通して流すようにより高いストロークに調整することができる。さらに、ノズル圧力比が仕様限界値以上である場合には、二次低エネルギーガス制御弁１３４、１３６及び１３８は、より少ないガスを二次マニホルド１０８を通して流すようにより低いストロークに調整することができる。測定二次ノズル圧力比が仕様限界値間である場合には、制御弁１３０は、一次及び二次マニホルド間でノズル圧力比を等しい状態に調整するように作動することになる。
【００４５】
一次マニホルド燃料送給システム１００を併用燃焼モードで作動させる本方法はまた、高エネルギーガス停止速度比弁１４２と高エネルギーガス制御弁１３２との間で高エネルギーガスの圧力を測定するステップと、高エネルギーガスの圧力を高エネルギーガス基準圧力限界値と比較するステップと、高エネルギーガス停止速度比弁１４２のストロークを調整して高エネルギーガスの圧力を高エネルギーガス基準圧力限界値の範囲内に維持するステップとを含むことができる。例えば、高エネルギーガスの圧力が高エネルギーガス基準圧力限界値以下である場合には、高エネルギーガス停止速度比弁１４２は、より多い高エネルギーガスを該高エネルギーガス停止速度比弁１４２を通して流すようにより高いストロークに調整することができる。同様に、高エネルギーガスの圧力が高エネルギーガス基準圧力限界値以上である場合には、高エネルギーガス停止速度比弁１４２は、より少ない高エネルギーガスを該高エネルギーガス停止速度比弁１４２を通して流すようにより低いストロークに調整することができる。
【００４６】
一次マニホルド燃料送給システム１００を併用燃焼モードで作動させる本方法はまた、低エネルギーガス停止速度比弁１４０と一次低エネルギーガス制御弁１３０との間又は低エネルギーガス停止速度比弁１４０と二次低エネルギーガス制御弁１３４との間のいずれかで低エネルギーガスの圧力を測定するステップと、低エネルギーガスの圧力を低エネルギーガス基準圧力限界値と比較するステップと、低エネルギーガス停止速度比弁１４０のストロークを調整して高エネルギーガスの圧力を高エネルギーガス基準圧力限界値の範囲内に維持するステップとを含むことができる。例えば、低エネルギーガスの圧力が低エネルギーガス基準圧力限界値以下である場合には、低エネルギーガス停止速度比弁１４０は、より多くの低エネルギーガスを該低エネルギーガス停止速度比弁１４０を通して流すようにより高いストロークに調整することができる。同様に、低エネルギーガスの圧力が低エネルギーガス基準圧力限界値以上である場合には、低エネルギーガス停止速度比弁１４０は、より少ない低エネルギーガスを該低エネルギーガス停止速度比弁１４０を通して流すようにより低いストロークに調整することができる。
【００４７】
一次マニホルド燃料送給システム１００を併用燃焼モードで作動させる本方法はまた、ＣＰＤ弁１８２及び１８４を閉鎖するステップを含むことができる。燃料送給システム１００を作動させる本方法はまた、ＣＰＤガスパージ入口１８６及びＣＰＤガスパージ排出口１８８を使用してＣＰＤ弁１８４とＣＰＤ弁１８２との間からＣＰＤ空気を除去するステップを含むことができる。
【００４８】
以上の説明は、本出願の好ましい実施形態のみに関するものであること及び本明細書では特許請求の範囲及びその均等物によって定まる本発明の一般的技術思想及び技術的範囲から逸脱することなく数多くの変更及び修正を加えることができることを理解されたい。
【符号の説明】
【００４９】
１００  一次マニホルド二元ガス燃料システム
１０２  低エネルギーガス送給システム
１０４  高エネルギーガス送給システム
１０６  一次マニホルド
１０８  二次マニホルド
１１０  低エネルギーガス入口
１１２  ガススプリット
１１４  低エネルギーガス一次マニホルド出口
１１６  低エネルギーガス二次マニホルド出口
１１８  高エネルギーガス入口
１２０  高エネルギーガス一次マニホルド出口
１２２  一次マニホルド配管入口
１２４  一次マニホルドノズル出口
１２６  二次マニホルド配管入口
１２８  二次マニホルドノズル出口
１３０  一次低エネルギーガス制御弁
１３２  高エネルギーガス制御弁
１３４  二次低エネルギーガス制御弁
１３６  第２の二次低エネルギーガス制御弁
１３８  第３の二次低エネルギーガス制御弁
１４０  低エネルギーガス停止速度比弁
１４２  高エネルギーガス停止速度比弁
１４６  低エネルギーガス停止弁
１４８  高エネルギーガス停止弁
１５０  一次低エネルギーガスパージ入口
１５２  第１の一次低エネルギーガスパージ排出口
１５４  第２の一次低エネルギーガス排出口
１５６  高エネルギーガスパージ入口
１５８  第１の高エネルギーガスパージ排出口
１６０  第２の高エネルギーガスパージ排出口
１６４  第２の低エネルギーガスパージ入口
１６８  低エネルギーガスストレーナ
１７０  高エネルギーガスストレーナ
１７２  低エネルギーガスバイパス出口
１７４  高エネルギーガスバイパス出口
１７６  ＣＰＤシステム
１７８  ＣＰＤ空気入口
１８０  ＣＰＤ空気出口
１８２  一次ＣＰＤ弁
１８４  二次ＣＰＤ弁
１８６  ＣＰＤガスパージ入口
１８８  ＣＰＤガスパージ排出口
【図１】
0005484781.tif 000002